(57)【要約】【課題】ユーザが送信できない宛先番号を入力する前に、送信宛先数が上限に達したことを通知する情報を、宛先番号を入力するためのボタンに替えて表示させ、かつ、宛先番号入力以外の入力操作を行うボタンを表示させること。【解決手段】ファクス機能を備える通信装置において、送信宛先リストに登録された送信宛先の数が上限数に達していない場合、入力された宛先番号を送信宛先リストに登録するための第１のボタン及び送信宛先リストに登録された送信宛先に対象画像データの送信を開始するための第２のボタンを含む第１のＵＩ画面を表示手段に表示させ、送信宛先リストに登録された送信宛先の数が上限数に達していた場合、第１のボタンを含まず、かつ、送信宛先リストに登録された送信宛先の数が上限数に達したことを示す通知情報及び第２のボタンを含む第２のＵＩ画面を表示手段に表示させる。【選択図】図６
2020072291.tif 000002
【特許請求の範囲】
【請求項１】
ファクス機能を備える通信装置において、
ユーザが前記ファクス機能を利用するためのＵＩ画面を表示する表示領域を備えた表示手段と、
前記ＵＩ画面の表示を処理する表示処理手段と、
を備え、
前記表示処理手段は、
送信宛先リストに登録された送信宛先の数が上限数に達していない場合、入力された宛先番号を前記送信宛先リストに登録するための第１のボタン及び前記送信宛先リストに登録された送信宛先に対象画像データの送信を開始するための第２のボタンを含む第１のＵＩ画面を前記表示手段に表示させ、
前記送信宛先リストに登録された送信宛先の数が上限数に達していた場合、前記第１のボタンを含まず、かつ、前記送信宛先リストに登録された送信宛先の数が前記上限数に達したことを示す通知情報及び前記第２のボタンを含む第２のＵＩ画面を前記表示手段に表示させ、
前記第１のボタン及び前記通知情報は、前記表示領域の所定領域内に配置され、前記第２のボタンは、前記表示領域の所定領域外に配置されたことを特徴とする通信装置。
【請求項２】
前記表示処理手段は、
前記送信宛先リストに登録された送信宛先の数が上限数に達していない場合、前記ＵＩ画面の所定領域内にテンキー及びポーズキーのうち少なくとも１つの第３のボタン又は第３のボタン群をさらに含む前記第１のＵＩ画面を前記表示手段に表示させ、
前記送信宛先リストに登録された送信宛先の数が上限数に達していた場合、前記第３のボタン又は第３のボタン群を含まない前記第２のＵＩ画面を前記表示手段に表示させ、
前記第３のボタン又は第３のボタン群は、前記表示領域の所定領域内に配置されたことを特徴とする請求項1に記載の通信装置。
【請求項３】
前記表示処理手段は、
前記送信宛先リストに登録された送信宛先の数が上限数に達していない場合、テンキー及びポーズキーのうち少なくとも１つを含む第３のボタン又は第３のボタン群をさらに含む前記第１のＵＩ画面を前記表示手段に表示させ、
前記送信宛先リストに登録された送信宛先の数が上限数に達していた場合、入力操作ができない前記第３のボタン又は第３のボタン群をさらに含む前記第２のＵＩ画面を前記表示手段に表示させ、
前記第３のボタン又は第３のボタン群は、前記表示領域の所定領域外に配置されたことを特徴とする請求項１に記載の通信装置。
【請求項４】
前記表示処理手段は、
前記送信宛先リストに登録された送信宛先の数が上限数に達していない場合、前記送信宛先をリセットするボタン、前記登録された送信宛先を確認するためのボタン、予め登録された宛先リストを確認画面に表示させるためのボタン、及び送信設定を変更するための画面を表示させるためのボタンのうちの少なくとも１つの第４のボタン又は第４のボタン群をさらに含む前記第１のＵＩ画面を前記表示手段に表示させ、
前記送信宛先リストに登録された送信宛先の数が上限数に達していた場合、前記第４のボタン又は第４のボタン群をさらに含む前記第２のＵＩ画面を前記表示手段に表示させ、
前記第４のボタン又は第４のボタン群は、前記表示領域の所定領域外に配置されたことを特徴とする請求項１乃至３のいずれか1項に記載の通信装置。
【請求項５】
宛先番号が記憶された記憶手段をさらに備え、
前記上限数は、
前記第1のボタンを使用して前記送信宛先リストに登録された第１の送信宛先の上限数である第1の上限数と、
前記記憶手段に記憶された前記宛先番号を選択することで前記送信宛先リストに登録された第２の送信宛先の上限数である第2の上限数とを含み、
前記表示処理手段は、
前記第1の送信宛先の数が前記第１の上限数に達していた場合、前記通知情報として第1の通知情報を含む前記第２のＵＩ画面を前記表示手段に表示させ、
前記第1の送信宛先の数が前記第１の上限数に達しており、かつ、前記第２の送信宛先の数が前記第２の上限数に達していた場合、前記通知情報として第２の通知情報を含む前記第２のＵＩ画面を前記表示手段に表示させることを特徴とする請求項１乃至４のいずれか１項に記載の通信装置。
【請求項６】
前記表示処理手段は、送信宛先リストに登録された送信宛先の数が、前記上限数よりも２以上小さい場合と前記上限数よりも１小さい数である場合とで、前記第１のボタンに異なる情報を表示することを特徴とする請求項１乃至５のいずれか１項に記載の通信装置。
【請求項７】
前記通知情報は、文字及びアイコンの少なくとも一方を用いて表示されることを特徴とする請求項１乃至６のいずれか１項に記載の通信装置。
【請求項８】
ファクス機能を備える通信装置において、ユーザが前記ファクス機能を利用するためのＵＩ画面を表示する表示領域を備えた表示手段の前記ＵＩ画面の表示を処理する表示処理方法であって、
送信宛先リストに登録された送信宛先の数が上限数に達していない場合、入力された宛先番号を前記送信宛先リストに登録するための第１のボタン及び前記送信宛先リストに登録された送信宛先に対象画像データの送信を開始するための第２のボタンを含む第１のＵＩ画面であって、前記第１のボタンが前記表示領域の所定領域内に配置され、前記第２のボタンが前記表示領域の所定領域外に配置された前記第１のＵＩ画面を前記表示手段に表示させるステップと、
前記送信宛先リストに登録された送信宛先の数が上限数に達していた場合、前記第１のボタンを含まず、かつ、前記送信宛先リストに登録された送信宛先の数が前記上限数に達したことを示す通知情報及び前記第２のボタンを含む第２のＵＩ画面であって、前記通知情報が前記表示領域の所定領域内に配置され、前記第２のボタンが前記表示領域の所定領域外に配置された前記第２のＵＩ画面を前記表示手段に表示させるステップと、
を有することを特徴とする表示処理方法。
【請求項９】
コンピュータに請求項８に記載の表示処理方法における各ステップを実行させるためのプログラム。
【発明の詳細な説明】
【技術分野】
【０００１】
本発明は、ファクス機能を備えた通信装置、その制御方法、及びプログラムに関するものである。
【背景技術】
【０００２】
従来、読み取った画像を一度に複数の宛先に送信する同報送信が可能な通信装置がある。同報送信を行う機能には、同時に送信できる宛先数の上限である宛先上限数が設けられており、入力した宛先の数が宛先上限数を超えていた場合、宛先上限数に達したことをユーザに伝えるための警告を表示する技術が知られている。（特許文献１）
【先行技術文献】
【特許文献】
【０００３】
【特許文献１】特開２００７−１１０２４９号公報
【発明の概要】
【発明が解決しようとする課題】
【０００４】
ところで、操作画面として小型ディスプレイ等を使用する通信装置では、一度に表示領域に表示できる情報量に制約がある。この制約の中でユーザに詳細な警告メッセージを通知する簡易な手法としては、図１５（ａ）、（ｂ）に示すように、ユーザが各種入力を行う基本操作画面を警告画面に置き換えて表示する手法が考えられる。しかしながら、このような手法を採用した場合、警告画面において宛先上限数の超過を確認したユーザは、表示画面が警告画面から基本操作画面に戻るまで、宛先上限数の超過に対処するための基本操作を行うことができない。例えば、宛先上限数を超える宛先に対してＦＡＸを複数回に分けて送信したい場合、一度の送信で登録できる宛先上限数に達した際に、警告画面から基本画面に戻してから送信開始指示をしなければならず、手間である。したがって、上述のように宛先上限数の警告を行う通信装置は、操作性の面で改善の余地がある。
【０００５】
そのため、本発明では、ユーザが送信できない宛先番号を入力する前に、送信宛先数が上限に達したことを通知する情報を、宛先番号を入力するためのボタンに替えて表示させ、かつ、宛先番号入力以外の入力操作を行うボタンは表示させることを目的とする。
【課題を解決するための手段】
【０００６】
本発明は、ファクス機能を備える通信装置において、ユーザが前記ファクス機能を利用するためのＵＩ画面を表示する表示領域を備えた表示手段と、前記ＵＩ画面の表示を処理する表示処理手段と、を備え、前記表示処理手段は、送信宛先リストに登録された送信宛先の数が上限数に達していない場合、入力された宛先番号を前記送信宛先リストに登録するための第１のボタン及び前記送信宛先リストに登録された送信宛先に対象画像データの送信を開始するための第２のボタンを含む第１のＵＩ画面を前記表示手段に表示させ、前記送信宛先リストに登録された送信宛先の数が上限数に達していた場合、前記第１のボタンを含まず、かつ、前記送信宛先リストに登録された送信宛先の数が前記上限数に達したことを示す通知情報及び前記第２のボタンを含む第２のＵＩ画面を前記表示手段に表示させ、前記第１のボタン及び前記通知情報は、前記表示領域の所定領域内に配置され、前記第２のボタンは、前記表示領域の所定領域外に配置されたことを特徴とする。
【発明の効果】
【０００７】
本発明は、ユーザが送信できない宛先番号を入力する前に、送信宛先数が上限に達したことを通知する情報を、宛先番号を入力するためのボタンに替えて表示させ、かつ、宛先番号入力以外の入力操作を行うボタンは表示させることができる。
【図面の簡単な説明】
【０００８】
【図１】本発明の一実施形態としての典型的なＭＦＰの構成を示すブロック図である。
【図２】本発明の一実施形態としての典型的なＭＦＰのソフトモジュール構造を示すブロック図である。
【図３】（ａ）は本発明の一実施形態としての典型的な第１のファクス基本画面の例を示す図であり、（ｂ）は本発明の一実施形態としての典型的な宛先設定画面の例を示す図であり、（ｃ）は本発明の一実施形態としての典型的な送受信設定画面の例を示す図である。
【図４】本発明の一実施形態としての第１の新規宛先上限通知画面を示す図である。
【図５】本発明の一実施形態としての第１の宛先上限通知画面を示す図である。
【図６】本発明の一実施形態としてのファクス基本画面表示処理を示すフローチャートである。
【図７】本発明の一実施形態としての２つの宛先上限数を設けた場合におけるファクス基本画面表示処理を示すフローチャートである。
【図８】実施形態に関わる宛先編集画面を示す図である。
【図９】実施形態に関わるアドレス帳画面を示す図である。
【図１０】本発明の一実施形態としてのファクス送信の例を示すシーケンス図である。
【図１１】本発明の一実施形態としての新規宛先上限数目の宛先登録の例を示す図である。
【図１２】本発明の一実施形態としての第２のファクス基本画面の例を示す図である。
【図１３】本発明の一実施形態としての第２の新規宛先上限通知画面を示す図である。
【図１４】本発明の一実施形態としての第２の宛先上限通知画面を示す図である。
【図１５】（ａ）は従来のファクス基本画面を示す図であり、（ｂ）は従来の宛先上限通知画面を示す図である。
【発明を実施するための形態】
【０００９】
以下、本発明を実施するための形態について図面を用いて説明する。
【００１０】
本形態では、通信装置として、プリントやスキャン、ファクス機能を有する複合機（ＭＦＰ：Ｍｕｌｔｉ  Ｆｕｎｃｔｉｏｎ  Ｐｅｒｉｐｈｅｒａｌ）を例に説明する。
【００１１】
なお、以下の実施の形態は特許請求の範囲に係る発明を限定するものでなく、また実施の形態で説明されている特徴の組み合わせの全てが発明の解決手段に必須のものとは限らない。
【００１２】
＜ＭＦＰの構成＞
図１は、本発明の一実施形態に係るＭＦＰの概略構成を示すブロック図である。
【００１３】
ＣＰＵ１０１は、ＲＯＭ１０３またはＨＤＤ１０４に記憶された制御プログラムに従って、システムバス１０７に接続される各種装置とのアクセスを統括的に制御すると共に、コントローラ１２５内部で行われる各種処理についても統括的に制御する。ＲＡＭ１０２は、ＣＰＵ１０１が動作するためのシステムワークメモリであり、かつ画像データを一時記憶するためのメモリでもある。ＲＯＭ１０３には装置のブートプログラムなどが格納されている。ＨＤＤ１０４はハードディスクドライブであり、システムソフトウェアや画像データを格納することが可能である。
【００１４】
操作部Ｉ／Ｆ１０５は、システムバス１０７と操作部１２１とを接続するためのインタフェース部である。この操作部Ｉ／Ｆ１０５は、操作部１２１に表示するための画像データをシステムバス１０７から受取り操作部１２１に出力すると共に、操作部１２１から入力された情報をシステムバス１０７へと出力する。
【００１５】
ネットワークＩ／Ｆ１０６は、ＬＡＮやＷＡＮなどのインターネット回線１２４及びシステムバス１０７に接続し、他の機器と双方向にデータをやり取りする。
【００１６】
ファクスＩ／Ｆ１２７はＰＳＴＮ１２８及びシステムバス１０７に接続し、他の機器と双方向にデータをやり取りする。
【００１７】
画像バス１２０は画像データをやり取りするための伝送路であり、ＰＣＩバス又はＩＥＥＥ１３９４で構成されている。
【００１８】
スキャナ画像処理部１１２は、スキャナ部１２２からスキャナＩ／Ｆ１１１を介して受け取った画像データに対して、補正、加工、及び編集を行う。
【００１９】
埋め込み情報抽出部１１０は、画像データから背景画像に埋め込まれているパターンの検出や付加情報の抽出の処理を行う。
【００２０】
圧縮部１１３は、画像データを受け取って圧縮し、画像番号を付与して圧縮した画像データを画像メモリ１２６に記憶する。
【００２１】
ＣＰＵ１０１は、プリンタＩ／Ｆ１１８を経由してプリンタ部１２３から印字可能通知が送られると、画像メモリ１２６から画像番号が最も小さい画像データを取得し、伸張部１１５に送る。伸張部１１５は、データを伸張した後にラスタ展開してプリンタ画像処理部１１７に送る。
【００２２】
プリンタ画像処理部１１７は、伸張部１１５から送られた画像データを受取り、この画像データに付随する属性データを参照しながら画像データに画像処理を施す。また、指示がある場合は符号画像生成部１１６において生成された符号画像データを画像データに合成する。符号画像生成部１１６は、二次元コード画像やバーコード画像、情報埋め込み技術により生成された画像等の符号画像データを生成する。なお、符合画像の生成は、ＲＡＭ１０２内に格納されたプログラムを実行することによって行われる。プリンタ画像処理部１１７で処理された画像データは、プリンタＩ／Ｆ１１８を介してプリンタ部１２３に出力される。
【００２３】
画像変換部１１４は、画像データに対して回転や色空間変換、２値多値変換、画像合成、間引きといった所定の変換処理を施す。
【００２４】
ＲＩＰ部１０８は、ＰＤＬコードデータを元に生成された中間データを受取り、ビットマップデータ（多値）を生成する。生成されたビットマップデータは圧縮部１０９で圧縮されて画像バス１２０へ送られる。
【００２５】
認証処理部１１９は、操作部１２１で入力されたユーザ情報を使用したユーザやワークグループの認証に加えて、印刷ジョブ認証を行う。また認証済みユーザやワークグループの情報の管理を行う。
【００２６】
また、ＭＦＰは、ジョブが実行されていない状態で、かつ操作部１２１の操作が所定時間行われていない場合、スキャナ部１２２やプリンタ部１２３への電源供給を停止するスリープ状態へと遷移する。
【００２７】
＜ソフトウェアモジュール構成＞
図２は、図１に示したＭＦＰのソフトウェアモジュール構成を示す図である。図２の各処理部は、ＣＰＵ１０１がプログラムを実行することによって実現される。
【００２８】
ジョブコントロール処理部２０１は、他のモジュールを制御し、原稿のスキャン、送信、表示処理などのＭＦＰ内で発生する各ジョブの実行を統括的に制御する。
【００２９】
表示処理部２０２は、操作部１２１、操作部Ｉ／Ｆ１０５に関する処理を行う。表示処理部２０２は、ユーザが操作部１２１で操作した情報を元に操作部のユーザインタフェース（ＵＩ）画面を切り替える。また、ユーザが第１のファクス基本画面（図３（ａ））で新規送信宛先を入力すると、表示処理部２０２は入力された送信宛先をＲＡＭ１０２上の新規送信宛先リスト２０５と送信宛先リスト２０９に登録する。ユーザがアドレス帳画面（図９）からアドレス帳の宛先を選択すると、表示処理部２０２は、ＲＡＭ１０２上のアドレス帳送信宛先リスト２０６と送信宛先リスト２０９に送信宛先を登録する。
【００３０】
スキャン処理部２０３は、ジョブコントロール処理部２０１からの指示により、スキャナ部１２２とスキャナＩ／Ｆ１１１を制御して、スキャナ部１２２上に設置されている原稿の読取処理を行う。スキャン処理部２０３は、スキャナ画像処理部１１２を制御して、読み取られた画像データに対して画像処理を実行し、画像処理が完了すると、画像メモリ１２６に画像データを保存する。
【００３１】
送信処理部２０４は、ジョブコントロール処理部２０１からの指示により、画像メモリ１２６に保存されている対象画像データを送信宛先リスト２０９に登録された送信宛先に、、ＰＳＴＮ１２８に接続されたファクスＩ／Ｆ１２７を制御してファクス送信する。
【００３２】
アドレス帳設定処理部２０８は、ＲＯＭ１０３上の、アドレス帳２０７に対して宛先の登録、削除、編集を行う。
【００３３】
＜第１のファクス基本画面の構成＞
図３（ａ）は、図１に示した操作部１２１に表示されるＵＩ画面である第１のファクス基本画面を示す図である。宛先表示領域３０１は、テンキー３１４から入力された数字、「＊」、「＃」、ポーズキー３１２から入力された「Ｐ」から構成されるファクス送信の宛先番号を構成する文字を表示する。また、現在の入力位置であるカーソルを宛先表示領域３０１に表示し、テンキー３１４、ポーズキー３１２から新たな文字を入力すると、カーソルの次に入力された文字が挿入される。
【００３４】
図３（ａ）の第１のファクス基本画面が表示されているときは、テンキータブ３０２が選択状態となっている。宛先設定タブ３０３が押下されて選択されると、宛先設定画面（図３（ｂ））を表示する。送受信設定タブ３０４が押下されて選択されると、送受信設定画面（図３（ｃ））を表示する。
【００３５】
バックスペースキー３０５は、宛先表示領域３０１に入力された文字が表示されている場合に表示され、バックスペースキー３０５が押下されると、宛先表示領域３０１に表示されているカーソルの１つ手前の文字を削除する。ＰＲＥＶキー３０６は、宛先表示領域３０１に入力された文字が表示されている場合に表示され、ＰＲＥＶキー３０６が押下されるとカーソルを１つ前の文字に移動する。カーソルが入力された文字の先頭にある場合、ＰＲＥＶキー３０６を押下することはできない。ＮＥＸＴキー３０７は宛先表示領域３０１に入力された文字が表示されている場合に表示され、ＮＥＸＴキー３０７が押下されると、カーソルを１つ後ろの文字に移動する。カーソルが入力された文字の末尾にある場合、ＮＥＸＴキー３０７を押下することはできない。
【００３６】
宛先確認ボタン３０８が押下されると、ＲＡＭ１０２に保存されている新規宛先リスト２０５の要素数と、アドレス帳送信宛先リスト２０６の要素数の和である送信宛先数が表示される。また、宛先確認ボタン３０８が押下されると、宛先詳細画面（図８）が表示される。宛先詳細画面では入力した送信宛先の確認、編集、削除を行うこと可能である。
【００３７】
アドレス帳ボタン３０９が押下されると、アドレス帳画面が表示される。アドレス帳画面ではＲＯＭ１０３に保存されているアドレス帳の確認と、アドレス帳に登録されている宛先をアドレス帳送信宛先リスト２０６に登録することが可能である。
【００３８】
オンフックキー３１０が送信宛先未入力の状態で押下されると、手動送信モードに切り替えられる。リセットキー３１１が押下されると、ＲＡＭ１０２に保存されている新規送信宛先リスト２０５と、アドレス帳送信宛先リスト２０６と、送信宛先リスト２０９とから送信宛先を削除し、図６に示すファクス基本画面表示処理が実行される。スタートボタン３１３が押下されると、ジョブコントロール処理部２０１は、送受信設定画面において設定された送受信設定で、スキャン処理部２０３にスキャンの指示を行う。スキャン処理が完了すると、ジョブコントロール処理部２０１は、送信処理部２０４にスキャンした画像を新規送信宛先リスト２０５に登録されている送信宛先と、アドレス帳送信宛先リスト２０６に登録されている送信宛先とへのファクス送信を指示する。送信処理が完了すると、ジョブコントロール処理部２０１は、新送信規宛先リスト２０５とアドレス帳送信宛先リスト２０６とから送信宛先を削除する。
【００３９】
ステータス表示領域３１５には、現在のＭＦＰの状態が表示される。次の宛先ボタン３１６が押下されると、宛先表示領域３０１に表示されている送信宛先を新規送信宛先リスト２０５と送信宛先リスト２０９の末尾に登録し、宛先表示領域３０１に表示された文字を削除して初期状態にする。宛先表示領域３０１に送信宛先が表示されていない場合、次の宛先ボタン３１６を押下することはできない。
【００４０】
状況確認ボタン３１７が押下されると、本実施形態では図示しない状況確認画面を表示する。
【００４１】
＜ファクス基本画面の表示処理＞
図６に、本発明の一実施形態に係るファクス基本画面表示処理のフローチャートを示す。なお、図６に示す例では、テンキー等を用いて新規に入力されて送信宛先リスト２０９に登録された送信宛先数についてのみ上限を設けた構成としている。
【００４２】
先ずＳ６０１において、表示処理部２０２はテンキータブ３０２が選択された状態の第1のファクス基本画面（図３（ａ））を表示する。
【００４３】
宛先設定タブ３０３の押下が検知されると（Ｓ６０２）、Ｓ６０３において表示処理部２０２はオンフックキー３１０、ポーズキー３１２、テンキー３１４、および次の宛先ボタン３１６を含むボタン群を宛先設定画面（図３（ｂ））に置き換える。ＬＤＡＰサーバボタン３１８、短縮ダイヤルボタン３１９、履歴から送信ボタン３２０等の宛先設定用ボタンのいずれかが押下されたことを検知すると（Ｓ６０４）、Ｓ６０５においてユーザからの入力に基づき宛先設定処理が行われる。
【００４４】
送受信設定タブ３０４の押下が検知されると（Ｓ６０２）、Ｓ６０６において表示処理部２０２はオンフックキー３１０、ポーズキー３１２、テンキー３１４、および次の宛先ボタン３１６を含むボタン群を送受信設定画面（図３（ｃ））に置き換える。受信モードボタン３２１、解像度ボタン３２２、濃度ボタン３２３、両面原稿ボタン３２４等の送受信設定用ボタンのいずれかが押下されたことを検知すると（Ｓ６０７）、Ｓ６０８においてユーザからの入力に基づき送受信設定処理が行われる。
【００４５】
宛先設定処理又は送受信設定処理が行われた後、タブの押下を検知すると（Ｓ６０９）、表示処理部２０２は押下されたタブに応じて第１のファクス基本画面（図３（ａ））、宛先設定画面（図３（ｂ））又は送受信設定画面（図３（ｃ））を表示する。
【００４６】
第１のファクス基本画面（図３（ａ））においてポーズキー３１２、テンキー３１４が押下されると（Ｓ６１０）、その後、宛先番号を送信宛先として確定させる確定ボタンである次の宛先ボタン３１６が押下されたか否かを検知する（Ｓ６１１）。Ｓ６１１で次の宛先ボタン３１６の押下を検知すると、表示処理部２０２は、ＲＡＭ１０２に保存された新規送信宛先リスト２０５および送信宛先リスト２０９に入力された宛先を登録する（Ｓ６１２）。また、Ｓ６１３において表示処理部２０２は、送信宛先リスト２０９に基づき宛先確認ボタン３０８の送信宛先数を決定する。そして、Ｓ６１４において表示処理部２０２は、新規送信宛先リスト２０５に登録された送信宛先数と送信宛先上限数以上とを比較する。
【００４７】
新規送信宛先リスト２０５に登録された送信宛先数が送信宛先上限数に達している場合は、表示処理部２０２は、例えば図４のように不要なボタンを送信宛先上限通知メッセージ画面に置き換える（Ｓ６１５）。図４に示す例において不要なボタンとは、オンフックキー３１０、ポーズキー３１２、テンキー３１４、次の宛先ボタン３１６である。このとき、表示処理部２０２は、オンフックキー３１０、ポーズキー３１２、テンキー３１４、次の宛先ボタン３１６以外のボタンを引き続き使用可能にする。
【００４８】
新規送信宛先リスト２０５に登録された送信宛先数が送信宛先上限数未満である場合は、第1のファクス基本画面に戻る。
【００４９】
また、宛先確認ボタン３０８の押下を検知すると（Ｓ６１６）、Ｓ６１７において図８に示す宛先詳細画面を表示する。宛先ボタン８０２のいずれかが押下されたことを検知すると（Ｓ６１８）、押下された宛先ボタン８０２に対応する宛先を選択状態にする。宛先削除ボタン８０３の押下を検知すると（Ｓ６１９）、Ｓ６２０において選択状態の宛先を送信宛先リストから削除する。編集ボタンの押下を検知すると（Ｓ６２１）、Ｓ６２２において選択状態の宛先について、宛先番号を変更する等、ユーザからの入力に従って宛先の編集を行う。戻るボタン８０１の押下を検知すると（Ｓ６２３）、Ｓ６１３に遷移する。
【００５０】
アドレス帳ボタンの押下を検知すると（Ｓ６２４）、Ｓ６２５において表示処理部２０２は、図９に示すアドレス帳画面を表示する。アドレス帳宛先ボタン９０２のいずれかが押下されたことを検知すると（Ｓ６２６）、押下されたアドレス帳宛先ボタン９０２に対応する宛先を選択状態とする。アドレス帳宛先ボタン９０２のいずれかが選択状態で確定ボタン９０３の押下を検知すると（Ｓ６２７）、Ｓ６２８において選択状態の宛先を送信宛先リスト２０９に追加する。戻るボタン９０１の押下を検知すると（Ｓ６２９）、Ｓ６１３に遷移する。
【００５１】
リセットボタン３１１の押下を検知すると（Ｓ６３０）、Ｓ６３１において表示処理部２０２は新規送信宛先リスト２０５、アドレス帳送信宛先リスト２０６、および送信宛先リスト２０９の全ての宛先削除を含む送信設定を全て削除する。そして送信宛先リスト２０９に基づき宛先確認ボタン３０８の送信宛先数を決定し（Ｓ６１５）、第1のファクス基本画面に戻る。
【００５２】
スタートボタン３１３の押下を検知すると（Ｓ６３２）、Ｓ６３３において送信処理部２０４は送信宛先リスト２０９に登録された宛先に対して対象画像データの送信を開始し、送信が完了すると一連の処理を終了する。
【００５３】
図７に、本発明の一実施形態に係る２種類の送信宛先上限通知メッセージを用いる場合のファクス基本画面表示処理のフローチャートを示す。図７は、図６のＳ６１４、Ｓ６１５についての別の実施形態を示すものである。図７に示す例は、新規送信宛先リスト２０５に登録された送信宛先数が上限に達した場合と、それに加えてアドレス帳に登録された全ての宛先が送信宛先として登録された場合とで、表示する送信宛先上限通知の内容を変えることを可能にする。
【００５４】
Ｓ７０１で表示処理部２０２は、ＲＡＭ１０２に保存されている新規送信宛先リスト２０５の要素数である新規送信宛先数と、新規送信宛先上限数を比較する。
【００５５】
新規送信宛先数が新規送信宛先上限数に達していない場合、表示処理部２０２は、第１のファクス基本画面（図３（ａ））を操作部（１２１）に表示する（Ｓ６０２）。
【００５６】
新規送信宛先数が新規送信宛先上限数に達していた場合、Ｓ７０３で表示処理部２０２はＲＡＭ１０２に保存されたアドレス帳送信宛先リスト２０６のアドレス帳送信宛先数とＲＯＭ１０３に保存されたアドレス帳２０７のアドレス帳登録数とを比較する。
【００５７】
アドレス帳送信宛先リスト２０６に登録されたアドレス帳送信宛先数がアドレス帳登録数に達していない場合、表示処理部２０２は、第１の新規送信宛先上限通知画面（図４）を表示する（Ｓ７０４）。第１の新規送信宛先上限通知画面（図４）は、第１のファクス基本画面のオンフックキー３１０、ポーズキー３１２、テンキー３１４、次の宛先ボタン３１６が表示されている領域を、新規送信宛先上限通知メッセージ４０１に置き替えた画面である。第１の新規送信宛先上限通知画面（図４）には、宛先設定タブ３０３、送受信設定タブ３０５、宛先確認ボタン３０８、アドレス帳ボタン３０９、リセットボタン３１１、スタートボタン３１３、ステータス表示３１５、状況確認ボタン３１７が表示される。そのためユーザは、第１の新規送信宛先上限通知画面（図４）においても、第１のファクス基本画面（図３（ａ））で可能な操作のうち、新規送信宛先の追加以外の操作が可能である。
【００５８】
アドレス帳送信宛先数がアドレス帳登録数に達していた場合、表示処理部２０２は、第１の送信宛先上限通知画面（図５）を表示する（Ｓ７０５）。第１の送信宛先上限通知画面（図５）は、第１のファクス基本画面のオンフックキー３１０、ポーズキー３１２、テンキー３１４、次の宛先ボタン３１６が表示されている領域を、送信宛先上限通知メッセージ５０１に置き替えた画面である。第１の送信宛先上限通知画面（図５）には、宛先設定タブ３０３、送受信設定タブ３０５、宛先確認ボタン３０８、アドレス帳ボタン３０９、リセットボタン３１１、スタートボタン３１３、ステータス表示３１５、状況確認ボタン３１７が表示される。そのためユーザは、第１の送信宛先上限通知画面（図５）においても、第１のファクス基本画面（図３（ａ））で可能な操作のうち、送信宛先の追加以外の操作が可能である。
【００５９】
＜宛先詳細画面＞
図８は、宛先確認ボタン３０８が押下されたときに表示される宛先詳細画面の一例である。
【００６０】
１又は複数の宛先ボタン８０２には、送信宛先リスト２０９に登録されている送信宛先を送信宛先リスト２０９の順序で表示する。宛先ボタン８０２のいずれかが押下されると、対応する宛先は選択状態となり、選択状態の宛先ボタン８０２をさらに押下すると未選択状態となる。宛先ボタン８０２の初期状態は未選択状態であり、宛先詳細画面（図８）を抜けると初期状態に戻る。
【００６１】
宛先削除ボタン８０３が押下されると、選択状態の宛先８０２を送信宛先リスト２０９から削除する。選択状態の送信宛先が新規送信宛先の場合、新規送信宛先リスト２０５からも削除し、選択状態の送信宛先がアドレス帳送信宛先の場合、アドレス帳送信宛先リスト２０６からも削除する。送信宛先削除後、宛先詳細画面（図８）の表示を更新する。
【００６２】
宛先編集ボタン８０４は、選択状態の送信宛先が１件の場合、押下可能である。宛先編集ボタン８０４が押下されると、本実施形態では図示しない宛先編集画面を表示する。戻るボタン８０１が押下されると、第1のファクス基本画面を表示する。
【００６３】
＜アドレス帳画面＞
図９は、アドレス帳ボタン３０９が押下されたときに表示されるアドレス帳画面の一例である。
【００６４】
アドレス帳宛先ボタン９０２は、アドレス帳２０７に登録されている宛先をアドレス帳２０７の順序で表示する。アドレス帳宛先ボタン９０２が押下されると、対応する宛先は選択状態となり、選択状態の宛先に対応するアドレス帳宛先ボタン９０２が押下されると未選択状態となる。宛先の初期状態は未選択状態であり、アドレス帳詳細画面（図９）を抜けると初期状態に戻る。
【００６５】
確定ボタン９０３は、選択状態の宛先が１件以上の場合、押下可能である。確定ボタン９０３が押下されると、送信宛先リスト２０９、アドレス帳送信宛先リスト２０６の末尾に選択状態の宛先を一括登録し、図６に示すファクス基本画面表示処理を実行する。戻るボタン９０１が押下されると、第1のファクス基本画面を表示する。
【００６６】
＜ファクス送信シーケンス＞
図１０は、ファクス送信の一例である、新規宛先１０件登録した後にファクス送信を行うシーケンスを示した図である。
【００６７】
ユーザがファクス画面を選択すると、表示処理部２０２は第１のファクス基本画面（図３（ａ））を表示する。第１のファクス基本画面（図３（ａ））で、ユーザが新規送信宛先の入力を行うと、９件目までは入力した送信宛先を送信宛先リスト２０９に登録する。送信宛先リスト２０９に登録された送信宛先数に応じて宛先確認ボタン３０８の表示を変化させながら第１のファクス基本画面を表示する。ユーザが新規送信宛先上限数である１０件目の入力を行い（図１１）、次の宛先ボタン３１６を押下すると、入力された送信宛先を新規送信宛先リスト２０５および送信宛先リスト２０９に登録した後、第１の新規送信宛先上限通知画面（図４）を表示する。
【００６８】
ユーザがフィーダーに原稿をセットすると、スキャン処理部２０３が原稿のセットを検知し、表示処理部２０２に原稿セットを通知する。表示処理部２０２は原稿セットが通知されると、ステータス行３１５に原稿がフィーダーにセットされた旨のメッセージを表示する。
【００６９】
ユーザにより第１の新規送信宛先上限通知画面（図４）でスタートボタン３１３が押下されると、ファクスジョブが実行される。ファクスジョブが実行されると、表示処理部２０２はジョブコントロール処理部２０１にファクスジョブ開始指示を行い、ジョブコントロール処理部２０１はスキャン処理部２０３にスキャン指示を行う。
【００７０】
スキャン処理部２０３はスキャンした画像を画像メモリ１２６に送信画像として保存し、スキャン成功をジョブコントロール処理部２０１に通知する。ジョブコントロール部２０１はスキャン成功通知を受けると、送信処理部２０４に送信指示を行う。送信処理部２０４は送信指示を受けると、送信宛先リスト２０９から送信宛先を取得し、画像メモリ１２６から取得した送信画像を取得した送信宛先に送信し、送信成功をジョブコントロール処理部２０１に通知する。
【００７１】
ジョブコントロール処理部２０１は送信成功通知を受けると、送信宛先リスト２０９の送信宛先を削除し、表示処理部２０２にファクスジョブ成功を通知する。表示処理部２０２はファクスジョブ成功通知を受けると、第１のファクス基本画面（図３（ａ））を表示する。
【００７２】
また、他の実施形態として、新規送信宛先上限数件目の送信宛先を入力する場合、第１のファクス基本画面の次の宛先ボタン３１６を、図１２に示すように宛先確定ボタン１２０１に置き換えた第２のファクス基本画面を表示しても良い。宛先確定ボタン１２０１は、次の宛先ボタン３１６の表示を「宛先確定」に置き替えたボタンである。宛先確定ボタン１２０１が押下された場合、表示処理部２０２は１０件目の送信宛先の入力が行われ、次の宛先ボタン３１６が押下されたときと同等の処理を行う。
【００７３】
また、他の実施形態として、第１の新規送信宛先上限通知画面を、第１のファクス基本画面の次の宛先ボタン３１６を、図１３に示すような新規送信宛先上限通知メッセージ１３０１に置き換えた第２の新規送信宛先上限通知画面としてもよい。第２の新規送信宛先上限通知画面（図１３）では、新規に送信宛先の入力を行うためのキーであるテンキー３１４、オンフックキー３１０、ポーズキー３１２は押下不可としている。
【００７４】
また、他の実施形態として、第１の送信宛先上限通知画面を、ファクス基本画面（図３（ａ））における、次の宛先ボタン３１６を、図１４に示すように宛先上限通知メッセージ１４０１に置き換えた第２の送信宛先上限通知画面としてもよい。この第２の送信宛先上限通知画面（図１４）では、新規に送信宛先の入力を行うためのキーであるテンキー３１４、オンフックキー３１０、ポーズキー３１２は押下不可としている。
【００７５】
なお、上記実施形態では、同報送信機能で送信可能な新規送信宛先数の上限である、新規宛先上限数を１０件としているが、新規送信宛先上限数はこの数に限らない。また、新規送信宛先上限数を設けず、アドレス帳を含めたすべての送信宛先の上限数である送信宛先上限数のみを設けても良い。
【００７６】
また、上記実施形態では、送信宛先数が上限に達したことを示す通知情報を新規送信宛先上限通知メッセージ又は送信宛先上限通知メッセージのように文字で表示したが、文字に替えてアイコン等、文字以外の表現を用いてもよい。ユーザに送信宛先数が上限数に達した旨の情報が伝われば、どのような表現を用いてもよい。
【００７７】
以上説明した通り、本発明では、ファクス基本画面表示処理により、送信宛先上限に達した状態でも操作できるスタートボタン３１３、アドレス帳ボタン３０９等が送信宛先数の上限に達したことを知らせるメッセージ通知と同時に表示される。これにより、送信宛先上限に達した後に必要な入力操作と、送信宛先上限に達したことを知らせるメッセージ通知とを同一の画面で行うことが可能であるため、ユーザビリティ向上に寄与する。また、ユーザが送信宛先上限数を超える送信宛先を入力することなく、送信宛先上限数に達したメッセージをユーザに通知することができるため、操作手番を削減することが可能となる。
【００７８】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７９】
操作部  １２１
スタートボタン  ３１３
次の宛先ボタン  ３１６
【図１】
2020072291.tif 000003
【図２】
2020072291.tif 000004
【図３】
2020072291.tif 000005
【図４】
2020072291.tif 000006
【図５】
2020072291.tif 000007
【図６】
2020072291.tif 000008
【図７】
2020072291.tif 000009
【図８】
2020072291.tif 000010
【図９】
2020072291.tif 000011
【図１０】
2020072291.tif 000012
【図１１】
2020072291.tif 000013
【図１２】
2020072291.tif 000014
【図１３】
2020072291.tif 000015
【図１４】
2020072291.tif 000016
【図１５】
2020072291.tif 000017